(57)【特許請求の範囲】
【請求項１】
リフレクタと、第１線状光源と、第１ホルダと、第２ホルダと、第１リード線と、第２リード線とを備え、前記第１線状光源の各端は前記第１ホルダおよび前記第２ホルダに支持され、前記リフレクタは前記第１線状光源を覆う様に、前記第１ホルダおよび前記第２ホルダを支持し、前記第１リード線および前記第２リード線の各導体部は、前記第１線状光源の１側電極と他側電極に各々接続され、前記第１ホルダおよび前記第２ホルダの各入口部は各々、実質的に直方体状の第１孔と第２孔が形成され、前記第１孔の幅は前記第１リード線の線径より大きく、前記第１孔の高さは前記第１リード線の線径より小さく、前記第２孔の幅は前記第２リード線の線径より大きく、前記第２孔の高さは前記第２リード線の線径より小さくなる様に形成され、前記第１線状光源に近接すべく、各端が前記第１ホルダおよび前記第２ホルダに支持された第２線状光源が設けられ、前記リフレクタは前記第１線状光源および前記第２線状光源を覆う様に設けられ、第３リード線および第４リード線の各導体部は、前記第２線状光源の１側電極と他側電極に各々接続され、前記第１ホルダおよび前記第２ホルダの入口部は各々、実質的に直方体状の第３孔と第４孔が形成され、前記第３孔の幅は第３リード線の線径より大きく、前記第３孔の高さは前記第３リード線の線径より小さく、前記第４孔の幅は前記第４リード線の線径より大きく、前記第４孔の高さは前記第４リード線の線径より小さくなる様に形成され、前記第１ホルダにおいて、前記第１孔の入口部と前記第３孔の入口部との間にて、実質的に直方体状の第１中間孔が形成され、前記第２ホルダにおいて、前記第２孔の入口部と前記第４孔の入口部との間にて、実質的に直方体状の第２中間孔が形成された事を特徴とする照明装置。
【請求項２】
前記第１ホルダにおいて、前記第１孔は前記入口部につながって、中間部および出口部からなり、前記中間部において、前記第１リード線の導体部は前記第１線状光源の１側電極に接続され、前記出口部において、前記第１線状光源の１端は挿入されている事を特徴とする請求項１の照明装置。
【請求項３】
前記第２ホルダにおいて、前記第２孔は前記入口部につながって、中間部および出口部からなり、前記中間部において、前記第２リード線の導体部は前記第１線状光源の他側電極に接続され、前記出口部において、前記第１線状光源の他端は挿入されている事を特徴とする請求項１の照明装置。
【請求項４】
前記第１ホルダは前記第２ホルダに対し、実質的に面対称に形成され、前記第１ホルダの外面には、前記第１線状光源の１側電極に関連する表示を示す第１表示部が形成され、前記第２ホルダの外面には、前記第１線状光源の他側電極に関連する表示を示す第２表示部が形成された事を特徴とする請求項１の照明装置。
【請求項５】
液晶セルと、前記液晶セルの背面側に配置された導光板および反射板および請求項１ないし請求項６のどれか１つに記載された照明装置と、前記液晶セルおよび前記導光板および前記反射板および前記照明装置を支持する枠体とを備え、前記第１線状光源および前記第２線状光源が前記導光板の側面に対向すべく、前記リフレクタは前記導光板の各端近傍および前記反射板の各端近傍を覆う様に設けられた事を特徴とする液晶表示装置。
【発明の詳細な説明】
【技術分野】
【０００１】
本発明は照明装置およびそれを用いた液晶表示装置に関する。
【背景技術】
【０００２】
従来、この種の装置は例えば、特許文献１に示されている。特許文献１によると、下から順に配置された、底板２０と、反射シート４０と、線状光源５０と、ホルダ５１と、リード線５２ａと、導光板５５と、光学シート６０と、液晶セル（図示せず）と、枠体２０が示されている。
【０００３】
反射シート４０には、折り曲げ部が形成され、その折り曲げ部の中に、線状光源５０およびホルダ５１が収納されている。その反射シート４０は、底板２０の折り曲げ部の中に収納されている。
【特許文献１】特開２００５−９１８２１号公報
【発明の開示】
【発明が解決しようとする課題】
【０００４】
しかし、上記装置では、ホルダ５１の所定位置に形成された丸孔を介して、リード線５２ａが挿入されている。そして、リード線５２ａの導体部と、線状光源５５の１側電極が半田等により、接続されている。
【０００５】
ところが、線状光源５０の長さは、所定値±１ｍｍの公差があるので、上記半田による接続点の位置がばらつく。この様にして、上記丸孔の位置と、上記接続点の位置がずれるので、接続点に応力が加わり、リード線５２ａが断線し易い、第１の欠点がある。
【０００６】
この欠点を解消するため、本発明者は、上記丸孔を大きく形成した。そのため、リード線５２ａの遊び代（移動可能な距離）が大きくなり、他の金属性部品のエッジに当り、切れ易い、第２の欠点がある。本発明は、この様な従来の欠点を考慮し、リード線が断線しにくい、リード線のエッジ等による切断を防止した、照明装置およびそれを用いた液晶表示装置を提供する。
【課題を解決するための手段】
【０００７】
上記課題を達成するために、請求項１の照明装置では、リフレクタと、第１線状光源と、第１ホルダと、第２ホルダと、第１リード線と、第２リード線とを備え、前記第１線状光源の各端は前記第１ホルダおよび前記第２ホルダに支持され、前記リフレクタは前記第１線状光源を覆う様に、前記第１ホルダおよび前記第２ホルダを支持し、前記第１リード線および前記第２リード線の各導体部は、前記第１線状光源の１側電極と他側電極に各々接続され、前記第１ホルダおよび前記第２ホルダの各入口部は各々、実質的に直方体状の第１孔と第２孔が形成され、前記第１孔の幅は前記第１リード線の線径より大きく、前記第１孔の高さは前記第１リード線の線径より小さく、前記第２孔の幅は前記第２リード線の線径より大きく、前記第２孔の高さは前記第２リード線の線径より小さくなる様に形成され、前記第１線状光源に近接すべく、各端が前記第１ホルダおよび前記第２ホルダに支持された第２線状光源が設けられ、前記リフレクタは前記第１線状光源および前記第２線状光源を覆う様に設けられ、第３リード線および第４リード線の各導体部は、前記第２線状光源の１側電極と他側電極に各々接続され、前記第１ホルダおよび前記第２ホルダの入口部は各々、実質的に直方体状の第３孔と第４孔が形成され、前記第３孔の幅は第３リード線の線径より大きく、前記第３孔の高さは前記第３リード線の線径より小さく、前記第４孔の幅は前記第４リード線の線径より大きく、前記第４孔の高さは前記第４リード線の線径より小さくなる様に形成され、前記第１ホルダにおいて、前記第１孔の入口部と前記第３孔の入口部との間にて、実質的に直方体状の第１中間孔が形成され、前記第２ホルダにおいて、前記第２孔の入口部と前記第４孔の入口部との間にて、実質的に直方体状の第２中間孔が形成された。
【０００８】
請求項２の照明装置では、前記第１ホルダにおいて、前記第１孔は前記入口部につながって、中間部および出口部からなり、前記中間部において、前記第１リード線の導体部は前記第１線状光源の１側電極に接続され、前記出口部において、前記第１線状光源の１端は挿入されている。
【０００９】
請求項３の照明装置では、前記第２ホルダにおいて、前記第２孔は前記入口部につながって、中間部および出口部からなり、前記中間部において、前記第２リード線の導体部は前記第１線状光源の他側電極に接続され、前記出口部において、前記第１線状光源の他端は挿入されている。
【００１０】
請求項４の照明装置では、前記第１ホルダは前記第２ホルダに対し、実質的に面対称に形成され、前記第１ホルダの外面には、前記第１線状光源の１側電極に関連する表示を示す第１表示部が形成され、前記第２ホルダの外面には、前記第１線状光源の他側電極に関連する表示を示す第２表示部が形成された。
【００１１】
請求項５の照明装置では、前記第１線状光源に近接すべく、各端が前記第１ホルダおよび前記第２ホルダに支持された第２線状光源が設けられ、前記リフレクタは前記第１線状光源および前記第２線状光源を覆う様に設けられ、第３リード線および第４リード線の各導体部は、前記第２線状光源の１側電極と他側電極に各々接続され、前記第１ホルダおよび前記第２ホルダの入口部は各々、実質的に直方体状の第３孔と第４孔が形成され、前記第３孔の幅は第３リード線の線径より大きく、前記第３孔の高さは前記第３リード線の線径より小さく、前記第４孔の幅は前記第４リード線の線径より大きく、前記第４孔の高さは前記第４リード線の線径より小さくなる様に形成された。
【００１２】
請求項６の照明装置では、前記第１ホルダにおいて、前記第１孔の入口部と前記第３孔の入口部との間にて、実質的に直方体状の第１中間孔が形成され、前記第２ホルダにおいて、前記第２孔の入口部と前記第４孔の入口部との間にて、実質的に直方体状の第２中間孔が形成された。
【００１３】
請求項７の液晶表示装置では、液晶セルと、前記液晶セルの背面側に配置された導光板および反射板および請求項１ないし請求項６のどれか１つに記載された照明装置と、前記液晶セルおよび前記導光板および前記反射板および前記照明装置を支持する枠体とを備え、前記第１線状光源および前記第２線状光源が前記導光板の側面に対向すべく、前記リフレクタは前記導光板の各端近傍および前記反射板の各端近傍を覆う様に設けられた。
【発明の効果】
【００１４】
請求項１の様に、第１孔の幅は第１リード線の線径より大きく、第１孔の高さは第１リード線の線径より小さく設けられている。その結果、第１線状光源の長さがばらつき、第１リード線と第１線状光源の接続点の位置がずれても、第１リード線が通る第１孔の幅は余裕があるので、第１リード線は自由度があり、接続点に応力が加わらなく、第１リード線は断線しにくい。そして、第１孔の高さは第１リード線の線径より小さく設けられているので、第１リード線は高さ方向に規制されるので、金属性部品のエッジに当りにくく、切れにくい。また、第２孔の幅は第２リード線の線径より大きく、第２孔の高さは第１リード線の線径より小さく設けられている。その結果、第１線状光源の長さがばらつき、第２リード線と第１線状光源の接続点の位置がずれても、第２リード線が通る第２孔の幅は余裕があるので、第２リード線は自由度があり、接続点に応力が加わらなく、第２リード線は断線しにくい。そして、第２孔の高さは第２リード線の線径より小さく設けられているので、第２リード線は高さ方向に規制されるので、金属性部品のエッジに当りにくく、切れにくい。
【００１５】
請求項２の様に、第１ホルダにおいて、第１孔は入口部につながって、中間部および出口部からなり、中間部において、第１リード線の導体部は第１線状光源の１側電極に接続され、出口部において、第１線状光源の１端は挿入されている。その結果、第１リード線と、第１線状光源の１側電極を接続させた後に、第１ホルダは第１リード線を通過し易く
第１線状光源に挿入し易い。
【００１６】
請求項３の様に、第２ホルダにおいて、第２孔は入口部につながって、中間部および出口部からなり、中間部において、第２リード線の導体部は第１線状光源の他側電極に接続され、出口部において、第１線状光源の他端は挿入されている。その結果、第２リード線と、第１線状光源の他側電極を接続させた後に、第２ホルダは第２リード線を通過し易く
第２線状光源に挿入し易い。
【００１７】
請求項４の様に、第１ホルダは第２ホルダに対し、実質的に面対称に形成されているので、この両ホルダは製造し易い。また、第１ホルダの外面には、第１線状光源の１側電極に関連する表示を示す第１表示部が形成され、第２ホルダの外面には、第１線状光源の他側電極に関連する表示を示す第２表示部が形成されたので、作業者は、第１ホルダと第２ホルダを間違えることなく、正規な位置に取り付けることができる。
【００１８】
請求項５の様に、第３孔の幅は第３リード線の線径より大きく、第３孔の高さは第３リード線の線径より小さく設けられている。その結果、第２線状光源の長さがばらつき、第３リード線と第２線状光源の接続点の位置がずれても、第３リード線が通る第３孔の幅は余裕があるので、第３リード線は自由度があり、接続点に応力が加わらなく、第３リード線は断線しにくい。そして、第３孔の高さは第３リード線の線径より小さく設けられているので、第３リード線は高さ方向に規制されるので、金属性部品のエッジに当りにくく、切れにくい。また、第４孔の幅は第４リード線の線径より大きく、第４孔の高さは第４リード線の線径より小さく設けられている。その結果、第２線状光源の長さがばらつき、第４リード線と第２線状光源の接続点の位置がずれても、第４リード線が通る第４孔の幅は余裕があるので、第４リード線は自由度があり、接続点に応力が加わらなく、第４リード線は断線しにくい。そして、第４孔の高さは第４リード線の線径より小さく設けられているので、第４リード線は高さ方向に規制されるので、金属性部品のエッジに当りにくく、切れにくい。
【００１９】
請求項６の様に、第１ホルダにおいて、第１孔の入口部と第３孔の入口部との間にて、実質的に直方体状の第１中間孔が形成されている。その結果、第１孔と第１中間孔の間に位置する肉部分は変形し易いので、第１リード線は第１孔を通過され易い。また、第２ホルダにおいて、第２孔の入口部と第４孔の入口部との間にて、実質的に直方体状の第２中間孔が形成された。その結果、第２孔と第２中間孔の間に位置する肉部分は変形し易いので、第２リード線は第２孔を通過され易い。
【００２０】
請求項７の液晶表示装置では、液晶セルと、前記液晶セルの背面側に配置された導光板および反射板および請求項１ないし請求項６のどれか１つに記載された照明装置と、前記液晶セルおよび前記導光板および前記反射板および前記照明装置を支持する枠体とを備え、前記第１線状光源および前記第２線状光源が前記導光板の側面に対向すべく、前記リフレクタは前記導光板の各端近傍および前記反射板の各端近傍を覆う様に設けられた。上記構成により、リード線が断線しにくい、リード線がエッジ等により切れにくい、液晶表示装置が得られる。
【発明を実施するための最良の形態】
【００２１】
以下に、本発明を実施するための最良の形態を、実施例及び図面を用いて詳細に説明する。以下の実施例は、本発明の技術思想を具体化するための液晶表示装置の一例を例示するものである。本発明は、特許請求の範囲に示した技術思想を逸脱することなく、種々の変更を行ったものにも、均しく適用し得る。
【実施例】
【００２２】
図１は、本発明の実施例に係る液晶表示装置１の分解斜視図である。図２は液晶表示装置１（組み立て品）の正面図である。図３，４は各々、図２のＡ−Ａ断面図、Ｂ−Ｂ断面図である。図５は要部斜視図、図６は図５のＣ部詳細図、図７は第２ホルダ１２を示す図面である。
【００２３】
これらの図において、液晶表示装置１は液晶セル２と、照明装置３と、これらの液晶セル２および照明装置３を支持する枠体４等とを有している。
【００２４】
液晶セル２は、一対のガラス基板５，６を、これらの基板５，６の外周縁の近傍に沿って塗布されたシール材（図示せず）により、一体に貼り合わせ、その内部に液晶を封入されたものである。
【００２５】
更に、一方のガラス基板６上の複数の端子（図示せず）に、駆動用ＩＣ（図示せず）が実装された複数のＴＣＰ（Ｔａｐｅ  Ｃａｒｒｉｅｒ  Ｐａｃｋａｇｅであるが、図示せず）が取り付けられている。そして、ＴＣＰのいくつかの他端は、制御基板（図示せず）に接続されている。
【００２６】
照明装置３は、液晶セル２の背面側（表示面と反対側のこと）に配置され、かつ、導光板９と、反射板１０と、リフレクタ１１と、ホルダ１２と、光源１３，１４と、補強板１５と、緩衝体１６等が設けられている（図３参照）。
【００２７】
導光板９は例えばアクリル樹脂からなり、平面から見れば、長方形である。導光板９は断面して見れば、導光板９の側面９ａが厚く（図３参照）、導光板９の他の側面９ｂが薄く（図４参照）なる様に、形成されている。導光板９は、楔状に形成されている。即ち、導光板９の上面は水平に形成され、底面は傾斜して形成されている。
【００２８】
反射板１０は反射材料からなり、導光板９の底面に当接して配置されている。反射板１０の左端は、導光板９の側面９ａよりも左側に少し、突出して配置されている（図３を参照）。反射板１０の右端は、導光板９の他の側面９ｂよりも左側に少し、ずれた位置にある（図４参照）。
【００２９】
リフレクタ１１は例えばアルミニュウム等からなり、断面して見れば、実施的に逆コ字状に形成されている。リフレクタ１１は平面から見れば（図１参照）、細長い形状をしている。
【００３０】
リフレクタ１１は、上面１１ａと、側面１１ｂと、底面１１ｃを有している。リフレクタ１１は左端近傍と、右端近傍の２ケ所において、切欠部１１ｄ，１１ｅが形成されている（図１を参照）。切欠部１１ｄ，１１ｅは共に、上面１１ａの１部と、底面１１ｃの１部を切り欠いた部分である。
【００３１】
第２ホルダ１２は例えばシリコンゴム等からなる。第１ホルダ１２Ａは、第２ホルダ１２に対し、面対称に形成されている（図５参照）。
【００３２】
この様に、一方の切欠部１１ｄは、第２ホルダ１２に近傍した位置にて形成されている。他方の切欠部１１ｅは、第１ホルダ１２Ａに近傍した位置にて形成されている。
【００３３】
第１線状光源１３と、第２線状光源１４は例えば、共に、冷陰極管等からなる線状光源である。
【００３４】
この様に、第１線状光源１３と第２線状１４は、導光板９の側面９ａに対向すべく、リフレクタ１１は、第２ホルダ１２と第１ホルダ１２Ａに支持された第１線状光源１３と、第２線状光源１４を覆い、かつ、導光板９および反射板１０の各端部近傍を覆う様に、設けられている。
【００３５】
補強板１５，１５Ａは共に金属板からなり、断面して見れば、共に実質的にコ字状に形成されている（図１、図３参照）。
【００３６】
補強板１５は第２ホルダ１２を覆う様に、切欠部１１ｄ内に収納されている。補強板１５Ａは第１ホルダ１２Ａを覆う様に、切欠部１１ｅ内に収納されている。
【００３７】
底板２４は例えば金属板等からなり、断面して見れば（図３参照）、実質的に逆Ｌ字状に形成されている。底板２４は平面から見れば（図１参照）、細長い形状をしている。
【００３８】
底板２４は、上面２４ａと、側面２４ｂと、底面２４ｃを有している。底板２４の側面２４ｂは、リフレクタ１１の側面１１ｂに当接して配置されている。
【００３９】
補強板１５は、底板２４に形成された側面２４ｂの内面と、切欠部１１ｄの内面との間に各々、当接または近接（例えば、隙間が０．１〜０．３ｍｍ）して配置されている。
【００４０】
補強板１５Ａは、底板２４に形成された側面２４ｂの内面と、切欠部１１ｅの内面との間に各々、当接または近接（例えば、隙間が０．１〜０．３ｍｍ）して配置されている。
【００４１】
緩衝体１６，１６Ａは例えば、ＰＥＴ樹脂の様に、比較的に硬質の弾性体からなり、裏面に接着材が設けられている。緩衝体１６，１６Ａの幅（導光板９の側面９ａの長手方向の長さ）は約４ｍｍである。
【００４２】
上述した様に、補強板１５は、導光板９の側面９ａと、ホルダ１２との間に配置されている。補強板１５Ａは導光板９の側面９ａと、第１ホルダ１２Ａとの間に配置されている。
【００４３】
緩衝体１６は、補強板１５の側面に固定され、導光板９の側面９ａに当接、または近接（例えば、隙間が０．１〜０．３ｍｍ）して配置されている。緩衝体１６Ａは、補強板１５Ａの側面に固定され、導光板９の側面９ａに当接、または近接（例えば、隙間が０．１〜０．３ｍｍ）して配置されている。
【００４４】
これらの導光板９と、反射板１０と、リフレクタ１１と、ホルダ１２，１２Ａと、光源１３，１４と、補強板１５，１５Ａと、緩衝体１６，１６Ａと、リード線１７，１８，１９，２０と、コネクタ２２，２３と、底板２４が設けられている。
【００４５】
枠体４は、リフレクタ１１を覆う突出部２５が形成されている。リフレクタ１１の外面と、突出部２５の内面とに各々、接着された第１粘着材２６が設けられている（図３を参照）。
【００４６】
導光板９の上に、プリズムシート２７が配置されている。プリズムシート２７の上方に拡散シート２８が配置されている。リフレクタ１１の底面１１ｃの底面に、放熱板２９が配置されている（図３参照）。なお、リフレクタ１１に形成された底面１１ｃの長さ（図３において、左右方向に延びる長さ）は、約１０ｍｍである。
【００４７】
枠体４は例えばプラスチックからなり、額縁状に形成され、中央に開口部３０が形成されている。枠体４の３辺において、上下方向に延びる側部３１ｂ（図４参照）と、側部３１ｃ（図示せず）と、側部３１ｄ（図示せず）が形成されている。
【００４８】
枠体４の３辺において、各々、側部３１ｂ，３１ｃ，３１ｄにつながり、開口部３０の周辺に位置する載置部３２ｂ，３２ｃ，３２ｄが形成されている。
【００４９】
支持体３３は、断面が略クランク状に形成され（図４参照）、平面から見れば（図１を参照）、細長い形状をしている。支持体３３の下部に形成された鉤部が、枠体４に形成された側部３１ｂの鉤部に係合されている（図４参照）。
【００５０】
枠体４の辺において、枠体４の上部に、上載置部３４ａが形成されている（図３を参照）。支持体３３の上部に、上載置部３４ｂが形成されている（図４参照）。枠体４の上部に、上載置部３４ｃが形成されている（図示せず）。枠体４の上部に、上載置部３４ｄが形成されている（図示せず）。
【００５１】
前面枠３５は例えば金属板等からなり、中央に開口部３６が形成され、額縁状に形成されている。
【００５２】
前面枠３５の上面は、枠体４の上面３７ａに当接し、前面枠３５の側面は、底板２４の側面２４ｂに当接し、固定されている（図３参照）。
【００５３】
前面枠３５の上面は、枠体４の上面３７ｂに当接している（図４参照）。
【００５４】
前面枠３５の上面および側面は、液晶セル２および枠体４などを覆っている（図示をせず）。
【００５５】
前面枠３５の上面は、枠体４の上面３７ｄに当接し、前面枠３５の側面は、枠体４の側面３７ｅに当接し、固定されている（図示せず）。
【００５６】
放熱板２９は例えばアルミニュウム等からなり、底部と、３つの折曲部とからなる。放熱板２９は、枠体４に形成された載置部３２ｂ，３２ｃ，３２ｄ上に配置されている（図４を参照）。
【００５７】
反射板１０は、放熱板２９の底部上に配置されている。導光板９は、反射板１０上に配置されている。この様にして、放熱板２９は開口部３０を介して、露出されている（図１参照）。
【００５８】
導光板９において、光源１３，１４に対向する側面９ａと反対側に位置する、他の側面９ｂ近傍の背面と、放熱板２９の表面とに各々接着された第２粘着材３８が設けられている（図４参照）。
【００５９】
プリズムシート２７は、導光板９上に配置されている。プリズムシート２７の右端近傍は、粘着材３９を介して、枠体４に形成された上載置部３４ｄ上に固定されている。スペーサ４０は、粘着材を介して、プリズムシート２７の右端近傍の上に固定されている（図示せず）。
【００６０】
拡散シート２８は、プリズムシート２７上に配置されている。拡散シート２８の左端近傍は、粘着材４１を介して、枠体４に形成された上載置部３４ｃ上に固定されている。スペーサ４２は、粘着材を介して、拡散シート２８の左端近傍の上に固定されている（図示せず）。
【００６１】
液晶セル２のＡ−Ａ側は、枠体４の上載置部３４ａ上に載置され（図３参照）、液晶セル２のＢ−Ｂ側は、支持体３３の上載置部３４ｂ上に載置されている（図４参照）。
【００６２】
液晶セル２の横側は、スペーサ４２上に載置され、液晶セル２の他の横側は、スペーサ４０上に載置されている。以上の部品により、液晶表示装置１は構成されている。
【００６３】
以下に、この液晶表示装置１の特徴的構成を述べる。なお、下記第１、第２、第３、第４、第７の特徴は、１灯式（線状光源が１個）に適用される。また、上記第１から第７の特徴は、多灯式（線状光源が複数個あるもの）にも適用され得る。
【００６４】
最初に第１の特徴を述べる。照明装置３は、リフレクタ１１と、第１線状光源１３と、第１ホルダ１２Ａと、第２ホルダ１２と、第１リード線１７と、第２リード線１８とを備える（図１、図６参照）。
【００６５】
第１線状光源１３の各端は、第１ホルダ１２Ａおよび第２ホルダ１２に支持されている（図５参照）。リフレクタ１１は、第１線状光源１３を覆う様に、第１ホルダ１２Ａおよび第２ホルダ１２を支持している（図１、図３参照）。
【００６６】
第１リード線１７および第２リード線１８の各導体部１７ａ，１８ａは各々、第１線状光源１３の１側電極１３ａと、他側電極１３ｂ（図示せず）に各々接続されている（図６を参照）。
【００６７】
第１ホルダ１２Ａおよび第２ホルダ１２の各入口部５０ａ，５３ａは各々、実質的に直方体状の第１孔５０と第２孔５３が形成されている（図６、図７参照）。第１孔５０の幅Ｗは第１リード線１７の線径より大きく、第１孔５０の高さＦは第１リード線１７の線径Ｄより小さく設けられている（図６参照）。
【００６８】
第２孔５３の幅は第２リード線１８の線径より大きく、第２孔５３の高さは第２リード線１８の線径より小さくなる様に形成されている（図７参照）。
【００６９】
次に、第２の特徴を述べる。第１ホルダ１２Ａにおいて、第１孔５０は入口部５０ａにつながって、中間部５０ｂおよび出口部５０ｃからなる。中間部５０ｂにおいて、第１リード線１７の導体部１７ａは、第１線状光源１３の１側電極１３ａに接続されている。出口部５０ｃにおいて、第１線状光源１３の１端は挿入されている（図６参照）。
【００７０】
そして、第３の特徴を述べる。第２ホルダ１２において、第２孔５３は入口部５３ａにつながって、中間部５３ｂおよび出口部５３ｃからなる（図７を参照）。中間部５３ｂにおいて、第２リード線１８の導体部（図示せず）は、第１線状光源１３の他側電極（図示せず）に接続されている。出口部５３ｃにおいて、第１線状光源１３の他端は挿入されている（図５参照）。
【００７１】
次に、第４の特徴を述べる。第１ホルダ１２Ａは第２ホルダ１２に対し、実質的に面対称に形成されている（図５参照）。第１ホルダ１２Ａの外面には、第１線状光源１３の１側電極１３ａ（例えば、接地電極）に関連する表示（例えば、Ｇ）を示す第１表示部が形成されている。第２ホルダ１２の外面には、第１線状光源１３の他側電極１３ｂ（例えば、陽極電圧）に関連する表示（例えば、Ｈ）を示す第２表示部５６が形成されている（図７（ａ）参照）。
【００７２】
そして、第５の特徴を述べる。第１線状光源１３に近接すべく、各端が第１ホルダ１２Ａと第２ホルダ１２に支持された第２線状光源１４が設けられている（図６参照）。リフレクタ１１は、第１線状光源１３および第２線状光源１４を覆う様に設けられている（図３参照）。
【００７３】
第３リード線１９および第４リード線２０の各導体部１９ａ，２０ａは、第２線状光源１４の１側電極１４ａと他側電極１４ｂに各々接続されている（図６参照）。
【００７４】
第１ホルダ１２Ａおよび第２ホルダ１２の各入口部５１ａ，５４ａは各々、実質的に直方体状の第３孔５１と第４孔５４が形成されている（図６、図７参照）。
【００７５】
第３孔５１の幅Ｗは、第３リード線１９の線径より大きく、第３孔５１の高さＥは、第３リード線１９の線径Ｄより小さく設けられている（図６参照）。
【００７６】
第４孔５４の幅は第４リード線２０の線径より大きく、第４孔５４の高さは第４リード線２０の線径より小さくなる様に形成されている。
【００７７】
次に、第６の特徴を述べる。第１ホルダ１２Ａにおいて、第１孔５０の入口部５０ａと第３孔５１の入口部５１ａとの間にて、実質的に直方体状の第１中間孔５２が形成されている（図６参照）。
【００７８】
第２ホルダ１２において、第２孔５３の入口部５３ａと第４孔５４の入口部５４ａとの間にて、実質的に直方体状の第２中間孔５５が形成されている（図７参照）。
【００７９】
最後に、第７の特徴を述べる。液晶セル２と、液晶セル２の背面側に配置された導光板９および反射板１０および請求項１ないし請求項６のどれか１つに記載された照明装置３とが設けられている。
【００８０】
液晶セル２および導光板９および反射板１０および照明装置３を支持する枠体２とが設けられている。第１線状光源１３および第２線状光源１４が、導光板９の側面９ａに対向すべく、リフレクタ１１は導光板９の各端近傍および反射板１０の各端近傍を覆う様に設けられている（図３参照）。
【図面の簡単な説明】
【００８１】
【図１】本発明の実施例に係る液晶表示装置１の分解斜視図である。
【図２】液晶表示装置１（組み立て品）の正面図である。
【図３】図２のＡ−Ａ断面図である。
【図４】図２のＢ−Ｂ断面図である。
【図５】液晶表示装置１の要部斜視図である。
【図６】図５のＣ部詳細図である。
【図７】図７（ａ）は、第２ホルダ１２の背面図、図７（ｂ）は、第２ホルダ１２の左側図、図７（ｃ）は、第２ホルダ１２の正面図、図７（ｄ）は、第２ホルダ１２の右側図、図７（ｅ）は、第２ホルダ１２の平面図、図７（ｆ）は、第２ホルダ１２の底面図、図７（ｇ）は、第２ホルダ１２の斜視図である。
【符号の説明】
【００８２】
２  液晶セル
３  照明手段
９  導光板
１０  反射板
１１  リフレクタ
１２Ａ  第１ホルダ
１２  第２ホルダ
１３  第１線状光源
１４  第２線状光源
【図１】
0004479666.tif 000002
【図２】
0004479666.tif 000003
【図３】
0004479666.tif 000004
【図４】
0004479666.tif 000005
【図５】
0004479666.tif 000006
【図６】
0004479666.tif 000007
【図７】
0004479666.tif 000008